(57)【要約】      （修正有）【課題】紙揃えを行う紙の種類に対応させてローラーの移動速度を変化可能なものとすることにより、ローラーの移動の際に積層紙の紙ずれを防止可能とする紙揃機を提供する。【解決手段】紙揃機構を備えた紙揃機本体１の紙載置台３に門型ガイド６を、紙載置台に対して摺動可能に立設し、この門型ガイドにローラー２１を上下動可能に設け、このローラーを下降させて積層紙９の表面に押圧配置するとともに、門型ガイドを紙載置台に対して水平方向に移動させることにより、ローラーを紙載置台上に載置した積層紙の一側から他側にかけて、この積層紙の上面を押圧しながら移動させて積層紙の紙と紙との間のエアーを排除可能とする紙揃機である。ローラーは、モーターによって積層紙の上面を押圧しながら移動可能とするとともに、このモーターの電気回路にインバータを組み込み、このインバータにてモーターに印加する電圧の周波数を変えることにより、ローラーの移動速度を変化可能としたことを特徴とする。【選択図】図１
0003190757.tif 000002
【実用新案登録請求の範囲】
【請求項１】
紙載置台上に載置した積層紙の一側から他側にかけて、この積層紙の上面を押圧しながら移動することにより、上記積層紙の紙と紙との間のエアーを排除可能とするローラーを設けた紙揃機において、上記ローラーは、モーターによって積層紙の上面を押圧しながら移動可能とするとともに、このモーターの電気回路にインバータを組み込み、このインバータにて上記モーターに印加する電圧の周波数を変えることにより、上記ローラーの移動速度を変化可能としたことを特徴とするエアー抜き機構を備えた紙揃機。
【請求項２】
上記ローラーは、上記インバータに備えられた周波数設定入力端子に調節つまみを接続し、この調節つまみを回すことによって周波数を変えてローラーの移動速度を変化可能としたことを特徴とする請求項１のエアー抜き機構を備えた紙揃機。
【考案の詳細な説明】
【技術分野】
【０００１】
本考案は、印刷、製本等に使用するものであって、積層紙に含まれるエアーを排除するためのエアー抜き機構を備えた紙揃機に関するものである。
【背景技術】
【０００２】
【特許文献１】実公平６−４４９３７号公報
【０００３】
印刷や製本等を行う際には、従来より特許文献１に示す如き紙揃機が使用されている。この紙揃機には、紙載置台及び紙揃機構が備わっており、紙載置台に載置した積層紙を紙揃機構によって揃えるものである。ここで、紙揃え作業を円滑に行うために、積層紙を構成する紙どうしの接触抵抗を低下させる必要がある。そのため、紙揃機構による紙揃の前に人間の手によって積層紙をしごき、積層紙を構成する紙の間隔にエアーを導入することが一般的に行われている。
【０００４】
しかし、紙揃が完了した後も上記の如く導入したエアーが積層紙に含まれていると、紙の間の接触抵抗が低下するため、揃えた紙を次工程の裁断機等に送る際に積層紙にずれが生じ易くなる。そのため、紙揃後にエアーを抜く作業を行わなければならないことから、特許文献１の紙揃機ではローラーを設け、このローラーを積層紙上面の一側から他側まで押圧しながら移動させることにより、積層紙に含まれるエアーを排除するものとしている。
【考案の開示】
【考案が解決しようとする課題】
【０００５】
しかしながら、特許文献１に示す如き紙揃機を使用した場合には、ローラーの移動によって紙がずれる事態が生じる場合があった。そしてそのような場合には、エアー抜き作業の完了後に行われる紙裁断の際に紙ずれが生じ、精度の高い紙裁断を行うことが困難となっていた。この紙ずれの原因は、主にローラーの速度と紙揃を行う積層紙の種類によるものと考えられる。
【０００６】
そこで、本考案は上述の如き課題を解決しようとするものであって、紙揃えを行う紙の種類に対応させてローラーの移動速度を変化可能なものとすることにより、ローラーの移動の際に積層紙の紙ずれを防止可能とする紙揃機を得ようとするものである。
【課題を解決するための手段】
【０００７】
本考案は上述の如き課題を解決するため、紙載置台上に載置した積層紙の一側から他側にかけて、この積層紙の上面を押圧しながら移動することにより、上記積層紙の紙と紙との間のエアーを排除可能とするローラーを設けた紙揃機において、上記ローラーは、モーターによって積層紙の上面を移動可能とするとともに、このモーターの電気回路にインバータを組み込み、このインバータにて上記モーターに印加する電圧の周波数を変えることにより、上記ローラーの移動速度を変化可能としたことを特徴とするエアー抜き機構を備えたものである。
【０００８】
また、上記ローラーは、上記インバータに備えられた周波数設定入力端子に調節つまみを接続し、この調節つまみを回すことによって周波数を変え、ローラーの移動速度を変化可能としたものであっても良い。
【考案の効果】
【０００９】
本考案は上述の如く構成したものであるから、ローラーの移動速度を、積層紙を構成する紙の種類に対応させた速度に調節可能とすることにより、積層紙に紙ずれが生じることなく積層紙に含まれたエアーを排除することができる。そのため、エアー抜き作業後の紙裁断を精度良く効率的に行うことが可能となる。
【実施例１】
【００１０】
本考案の実施例１について以下に説明すると、図１に示す如く(1)は紙揃機本体であって、特公昭50-15175号等に示される従来公知の適宜の紙揃機構(図示せず。)を備えている。そしてこの紙揃機本体(1)は、図２に示す如く、側面Ｌ字型の基台部(2)と、積層紙(9)を載置するための紙載置台(3)を備えている。そしてこの紙載置台(3)は、紙載置台本体(4)と、この紙載置台本体(4)の上面に配置した紙載置板(5)とから成るものであって、紙載置台本体(4)には、コ字型に形成した門型ガイド(6)を紙載置台(3)に対して摺動可能に立設している。
【００１１】
即ち、紙載置台本体(4)の両側面(7)(8)には、図３に示す如くそれぞれリニアガイド(10)を両側面(7)(8)の長さ方向に沿って設けている。一方、門型ガイド(6)の両脚部(11)(12)下端の内面には、それぞれ上記リニアガイド(10)に係合可能な係合体(13)を設けている。そして、この係合体(13)をリニアガイド(10)にそれぞれ係合することにより、紙載置台(3)に門型ガイド(6)を摺動可能に立設することができる。
【００１２】
また、上記リニアガイド(10)の上方には、図３に示す如くこのリニアガイド(10)に沿ってタイミングベルト(14)が設けられている。このタイミングベルト(14)は、紙載置台本体(4)の両側面(7)(8)に互いに間隔を介して設けたドライブプーリー(15)及びアイドルプーリー(16)とにそれぞれ両端を係合配置している。
【００１３】
そして、上記ドライブプーリー(15)には、図４に示す如く紙載置台本体(4)の長さ方向一側に配置した駆動軸(17)を組み付けている。そしてこの駆動軸(17)を、この駆動軸(17)に隣接して配置したモーター(18)によってチェーンスプロケット(20)を介して回転させることにより、上記ドライブプーリー(15)が回転するものとなる。そしてこのようにドライブプーリー(15)を回転させることにより、リニアガイド(10)に沿ってタイミングベルト(14)が摺動する。
【００１４】
そして、上記タイミングベルト(14)に上記門型ガイド(6)の両脚部(11)(12)下端に設けた係合体(13)を接続固定することにより、タイミングベルト(14)の摺動に伴って門型ガイド(6)をリニアガイド(10)に沿って摺動可能なものとしている。そのため、上記モーター(18)を回転させることにより、タイミングベルト(14)とともに係合体(13)が摺動し、最終的には門型ガイド(6)が紙載置台(3)に対して水平方向に摺動するものとなる。
【００１５】
また、上記門型ガイド(6)には積層紙(9)のエアー抜きを行うためのローラー(21)を設けている。即ち、図１に示す如く門型ガイド(6)の両側部上端に架設された水平バー(22)の中央には、ローラー(21)を上下方向に移動させるための上下シリンダー(23)を貫通配置している。またこの上下シリンダー(23)の両側には、一対のガイドシャフト(24)を、門型ガイド(6)の水平バー(22)に対して上下方向に摺動可能となるようそれぞれ貫通配置している。
【００１６】
そして、上記の如く水平バー(22)に設けたガイドシャフト(24)及び上下シリンダー(23)の下端には、棒状のローラー(21)を、水平バー(22)に平行且つガイドシャフト(24)及び上下シリンダー(23)に対して回転自在となるよう組み付けている。上記の如くローラー(21)を組み付けることにより、ローラー(21)は上下シリンダー(23)によってガイドシャフト(24)にてガイドされながら上下方向に摺動可能なものとなる。尚、この上下シリンダー(23)はエアーシリンダーであって、エアーコンプレッサー(図示せず。)からの圧縮エアーによって作動するものである。
【００１７】
また、ローラー(21)を上記の如く門型ガイド(6)の水平バー(22)に組み付けていることから、モーター(18)を回転させて門型ガイド(6)を紙載置台(3)に対して水平方向に移動させることにより、ローラー(21)も水平方向に移動するものとなる。ここで、ローラー(21)の水平方向への移動速度を変化可能なものとするために、上記モーター(18)の電気回路にインバータ(図示せず。)を組み込んでいる。そして、このモーター(18)に印加する電圧の周波数を変えることにより、モーター(18)の回転数が変化するものとなる。
【００１８】
そのため、上記の如くモーター(18)の回転数を変化させることにより、このモーター(18)の回転に伴って作動するタイミングベルト(14)の駆動速度も変化することから、このタイミングベルト(14)に接続した門型ガイド(6)、及びこの門型ガイド(6)に組み付けたローラー(21)の移動速度を変化させることができる。そして、上記インバータに設けられている周波数設定入力端子(図示せず。)に調節つまみ(25)を接続してこの調節つまみ(25)を正逆方向に適宜回転させることにより、モーター(18)の回転数を変化させることが可能となる。そのため、調節つまみ(25)を回転させることによりローラー(21)の移動速度を容易に変更することができる。
【００１９】
また図１、２に示す如く、紙載置台(3)表面のモーター(18)配置側の一辺には、紙を突き当てるための突き当て板(26)を設けるとともに、この突き当て板(26)の上方には、積層紙(9)の一側を押圧固定可能とする長尺なクランプ(27)を設けている。このクランプ(27)はローラー(21)と平行に配置されたものであって、図５、６に示す如く紙載置台(3)に組み付けられたクランプエアーシリンダー(28)によって突き当て板(26)の前面に沿って上下動可能なものとしている。
【００２０】
上記の如く構成した本実施例の紙揃機による積層紙(9)の紙揃えについて、以下に説明する。まず、紙載置台(3)に積層紙(9)を配置する。そして、この積層紙(9)をしごいて紙の間隔にエアーを入れた後、積層紙(9)の一辺を上記突き当て板(26)に突き当てた状態で、適宜の紙揃機構(図示せず。)によって紙揃を行う。
【００２１】
そしてこの紙揃作業の後、クランプシリンダーを作動させてクランプ(27)を下方に移動させて、図２に示す如く積層紙(9)の長さ方向の一辺側にクランプ(27)を押圧配置する。更に、上下シリンダー(23)を下方向に移動させることにより上下ガイドシャフト(24)に沿ってローラー(21)を下降させ、このローラー(21)を積層紙(9)の表面に押圧配置する。このような状態でモーター(18)を作動させることにより、ローラー(21)が紙の表面を押圧した状態で、図５、６に示す如く回転しながら水平方向に移動する。これにより、積層紙(9)の間隔にあるエアーが押し出されエアー抜きが行われる。
【００２２】
この時、ローラー(21)の速度によっては、エアー抜き作業の際に積層紙(9)の紙ずれが生じる場合がある。そこで、エアー抜き作業時のローラー(21)の速度及び積層紙(9)を構成する紙の種類と、積層紙(9)の紙ずれとの関係について実験を行った。その実験方法及び結果について以下に示す。
【００２３】
実験条件
ロール圧      0.2MPa
用紙サイズ    636mm×939mm
用紙積み高さ  120mm
目的
エアー抜きの後、積層紙(9)の上部に紙ずれが生じるかについて目視にて確認する。
【００２４】
また、積層紙(9)を構成する紙として、上質紙、コート紙を使用した。この実験の結果について下記に示す。
【００２５】
【表１】
0003190757.tif 000003
【００２６】
上記表１において、×はロール走行後に積層紙(9)に大きな紙ずれが生じたもの、△は若干の紙ずれが生じたもの、○は紙ずれが全く生じなかったものをそれぞれ示している。表１に示す如く、上質紙の場合はロールの走行速度が60Hzの場合は紙ずれが多少生じるが、50Hz以下の場合には紙ずれが全く生じないという結果となった。また、コート紙の場合には、ロールの走行速度が60Hzの場合には大きな紙ずれが生じ、50Hzの場合には大きな紙ずれ、あるいは多少の紙ずれが生じ、40Hzの場合には多少の紙ずれが生じる場合があり、30Hz以下では紙ずれが全く生じないという結果となった。
【００２７】
上記の結果より、積層紙(9)を構成する紙の種類によって、紙ずれが発生する際のローラー(21)の走行速度が異なるということが明らかとなった。そのため、各積層紙(9)の種類に対応させて、紙ずれが生じにくい積層紙(9)の種類に最適なローラー(21)の速度とすることにより、紙ずれを生じることなくエアー抜きを効率良く行うことができることがこの実験から明らかとなった。
【００２８】
そこで、本実施例ではエアー抜き作業を行う際に調節つまみ(25)を回転させて、対象となる積層紙(9)の種類に適したローラー(21)の速度に予めモーター(18)の回転速度を調節しておく。これにより、モーター(18)が所望の速度で回転し、このモーター(18)に組み付けられた駆動軸(17)及びドライブプーリー(15)が回動してタイミングベルト(14)が所望の速度で作動する。
【００２９】
そしてこのタイミングベルト(14)の作動により、タイミングベルト(14)に接続した係合体(13)がリニアガイド(10)に添って紙載置台(3)の前方方向に摺動するものとなり、門型ガイド(6)が水平方向に所定の速度で移動する。これにより、積層紙(9)の上面に押圧配置したローラー(21)が積層紙(9)上を一側から他側に向かって所望の速度で走行するものとなる。この時、このローラー(21)の走行速度は積層紙(9)の紙ずれが生じにくい速度に予め設定しているから、積層紙(9)のエアー抜き作業を、紙ずれを生じさせることなく確実且つ効率良く行うことが可能となる。
【００３０】
また、エアー抜き作業の終了後にモーター(18)を逆回転させることにより、タイミングベルト(14)が逆方向に回転するため門型ガイド(6)及びローラー(21)が上記とは逆方向である突き当て板(26)の方向に摺動し、元位置に復元する。
【図面の簡単な説明】
【００３１】
【図１】本考案の実施例１を示す正面図。
【図２】図１の側面図。
【図３】図２の部分拡大断面図。
【図４】本実施例の載置台の底面図。
【図５】本実施例のローラー作動時の部分断面図。
【図６】図５の部分拡大断面図。
【符号の説明】
【００３２】
３  紙載置台
９  積層紙
１８  モーター
２１  ローラー
２５  調節つまみ
【図１】
0003190757.tif 000004
【図２】
0003190757.tif 000005
【図３】
0003190757.tif 000006
【図４】
0003190757.tif 000007
【図５】
0003190757.tif 000008
【図６】
0003190757.tif 000009
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
紙揃機構を備えた紙揃機本体の紙載置台に門型ガイドを、紙載置台に対して摺動可能に立設し、この門型ガイドにローラーを上下動可能に設け、このローラーを下降させて積層紙の表面に押圧配置するとともに、上記門型ガイドを紙載置台に対して水平方向に移動させることにより、上記ローラーを紙載置台上に載置した積層紙の一側から他側にかけて、この積層紙の上面を押圧しながら移動させて上記積層紙の紙と紙との間のエアーを排除可能とする紙揃機において、上記ローラーは、モーターによって積層紙の上面を押圧しながら移動可能とするとともに、このモーターの電気回路にインバータを組み込み、このインバータにて上記モーターに印加する電圧の周波数を変えることにより、上記ローラーの移動速度を変化可能としたことを特徴とするエアー抜き機構を備えた紙揃機。
【請求項２】
上記ローラーは、上記インバータに備えられた周波数設定入力端子に調節つまみを接続し、この調節つまみを回すことによって周波数を変えてローラーの移動速度を変化可能としたことを特徴とする請求項１のエアー抜き機構を備えた紙揃機。
【手続補正２】
【補正対象書類名】明細書
【補正対象項目名】０００７
【補正方法】変更
【補正の内容】
【０００７】
本考案は上述の如き課題を解決するため、紙揃機構を備えた紙揃機本体の紙載置台に門型ガイドを、紙載置台に対して摺動可能に立設し、この門型ガイドにローラーを上下動可能に設け、このローラーを下降させて積層紙の表面に押圧配置するとともに、上記門型ガイドを紙載置台に対して水平方向に移動させることにより、上記ローラーを紙載置台上に載置した積層紙の一側から他側にかけて、この積層紙の上面を押圧しながら移動させて上記積層紙の紙と紙との間のエアーを排除可能とする紙揃機において、上記ローラーは、モーターによって積層紙の上面を押圧しながら移動可能とするとともに、このモーターの電気回路にインバータを組み込み、このインバータにて上記モーターに印加する電圧の周波数を変えることにより、上記ローラーの移動速度を変化可能としたことを特徴とするエアー抜き機構を備えたものである。